(57)【特許請求の範囲】
【請求項１】
複数の採点区間が設定された楽曲に合わせて利用者が歌唱することにより得られる歌唱音声データを前記楽曲のリファレンスデータと比較し、前記採点区間毎に採点値を求める採点部と、
予め求められた複数の採点値に基づく前記採点区間毎の統計値を取得する統計値取得部と、
表示部に、新たな歌唱により求められた前記採点値と前記統計値とを前記採点区間毎に対比可能に表示させる表示制御部と、
を有し、
前記採点区間は、複数の楽曲において一律の数に設定されており、
前記採点区間毎の統計値は、前記複数の楽曲のうち、各楽曲に関する情報である楽曲属性情報が同じ楽曲における採点値に基づく値であることを特徴とするカラオケ装置。
【請求項２】
複数の採点区間が設定された楽曲に合わせて利用者が歌唱することにより得られる歌唱音声データを前記楽曲のリファレンスデータと比較し、前記採点区間毎に採点値を求める採点部を有するカラオケ装置と、サーバとを含むカラオケ採点システムであって、
前記サーバは、
予め求められた複数の採点値に基づく前記採点区間毎の統計値を算出する統計値算出部を有し、
前記カラオケ装置は、
算出された前記採点区間毎の統計値を取得する統計値取得部と、
表示部に、新たな歌唱により求められた前記採点値と前記統計値とを前記採点区間毎に対比可能に表示させる表示制御部とを有し、
前記採点区間は、複数の楽曲において一律の数に設定されており、
前記採点区間毎の統計値は、前記複数の楽曲のうち、各楽曲に関する情報である楽曲属性情報が同じ楽曲における採点値に基づく値であることを特徴とするカラオケ採点システム。
【発明の詳細な説明】
【技術分野】
【０００１】
本発明はカラオケ装置及びカラオケ採点システムに関する。
【０００２】
カラオケ装置は、マイクから入力された歌唱音声から音高データ、音量データ、リズム等の歌唱音声データを抽出し、この歌唱音声データと演奏される楽曲の主旋律等を示すリファレンスデータとを比較することにより歌唱の採点を行っている。
【０００３】
また、歌唱音声データとリファレンスデータとを比較して算出される採点値や評価を用いて、利用者の歌唱レベルをより具体的に報知することを目的とする技術がある。
【０００４】
たとえば、特許文献１では、歌唱途中や歌唱終了後に得られる得点に応じて、全国ランキングを報知する技術が開示されている。特許文献２では、歌唱音声データについて、区間毎にリファレンスデータと比較し、その結果を告知すると共に、得点の低い区間に関しては自己の歌声を再生できる技術が開示されている。特許文献３では、利用者がカラオケ楽曲を歌唱中に、平均値が低得点のフレーズ区分に対して高難易度であることを報知する技術が開示されている。
【先行技術文献】
【特許文献】
【０００５】
【特許文献１】特開２００５−９９２８８号公報
【特許文献２】特開２００４−２０６００９号公報
【特許文献３】特開２００９−８８６１号公報
【発明の概要】
【発明が解決しようとする課題】
【０００６】
ところで、一般に、カラオケの歌唱に際しては楽曲全体のうち上手く唄えている区間とそうでない区間が存在する。よって、それらの区間を把握することにより、カラオケの練習等に役立てることができる。また、楽曲に対してどれくらい上手く唄えているか（楽曲に対する絶対的な評価）の判断ではなく、他の利用者に比べてどれくらい上手く唄えているか（他の利用者に対する相対的な評価）を把握したいと考えるカラオケ利用者も少なくない。
【０００７】
ここで、特許文献１で表示される全国ランキングは、歌唱終了後の最終的な得点を用いて、全国ランキングを表示するものである。よって、利用者は採点区間毎に上手く唄えているかどうかを知ることができない。
【０００８】
また、特許文献２の技術は、歌唱音声データとリファレンスデータとの比較であるため、他の利用者との相対的な評価ができない。また、特許文献２の技術は、リファレンスデータに対してどれくらい上手く唄えているのか、唄えていないのかといった具体的な比較ができない。
【０００９】
そして、特許文献３の技術は、高難易度のフレーズ区間を利用者の歌唱中に報知するが、現在の歌唱音声データの採点値と平均得点との比較を行うものではない。また、特許文献３の技術は、利用者が採点区間毎に上手く唄えているかどうかを知ることができない。
【００１０】
本発明の目的は、ある利用者が楽曲全体において上手く唄えている区間及び上手く唄えていない区間を、他の利用者との間で相対的に把握可能となる技術を提供することにある。
【課題を解決するための手段】
【００１１】
上記課題を解決するために、請求項１に係るカラオケ装置は、複数の採点区間が設定された楽曲に合わせて利用者が歌唱することにより得られる歌唱音声データを前記楽曲のリファレンスデータと比較し、前記採点区間毎に採点値を求める採点部と、予め求められた複数の採点値に基づく前記採点区間毎の統計値を取得する統計値取得部と、表示部に、新たな歌唱により求められた前記採点値と前記統計値とを前記採点区間毎に対比可能に表示させる表示制御部と、を有する。
【００１２】
このようなカラオケ装置によれば、採点区間毎に、ある利用者の歌唱により求められた採点値を他の利用者の歌唱に基づく統計値と対比可能に表示させることができる。よって、ある利用者は、楽曲全体において上手く唄えている区間及び上手く唄えていない区間を他の利用者との間で相対的に把握できる。
【００１３】
また、上記課題を解決するために、請求項２に係るカラオケ装置は、請求項１記載のカラオケ装置であって、採点区間毎の統計値は、前記楽曲毎に求められた値である。
【００１４】
この場合、採点区間毎に、ある利用者の歌唱により求められた採点値を他の利用者の歌唱に基づく楽曲毎の統計値と対比可能に表示させることができる。よって、ある利用者は、楽曲全体において上手く唄えている区間及び上手く唄えていない区間を他の利用者との間で相対的に把握できる。
【００１５】
また、上記課題を解決するために、請求項３に係るカラオケ装置は、請求項１記載のカラオケ装置であって、前記採点区間毎の統計値は、前記楽曲毎に求められた値であって、且つ前記利用者に関する情報である利用者属性情報が同じ利用者が歌唱して得られた採点値に基づく値であることを特徴とする請求項１記載のカラオケ装置。
【００１６】
この場合、カラオケ装置は、ある楽曲について得られた複数の採点値の中から、利用者属性情報（年齢、性別、居住地域等）により、統計値を求めるための採点値を限定できる。よって、新たな歌唱を行う利用者は、他の利用者のうち所定の利用者属性情報で限定した利用者の歌唱に基づく統計値により、上手く唄えている区間及び上手く唄えていない区間を把握できる。
【００１７】
また、上記課題を解決するために、請求項４に係るカラオケ装置は、請求項１記載のカラオケ装置であって、前記採点区間は、複数の楽曲において一律の数に設定されており、前記採点区間毎の統計値は、前記複数の楽曲のうち、各楽曲に関する情報である楽曲属性情報が同じ楽曲における採点値に基づく値である。
【００１８】
この場合、カラオケ装置は、複数の採点値の中から、楽曲属性情報（アーティスト、ジャンル等）により、統計値を求めるための採点値を限定できる。よって、新たな歌唱を行う利用者は、他の利用者のうち所定の楽曲属性情報で限定した利用者の歌唱に基づく統計値により、上手く唄えている区間及び上手く唄えていない区間を把握できる。
【００１９】
また、上記課題を解決するために、請求項５に係るカラオケ採点システムは、複数の採点区間が設定された楽曲に合わせて利用者が歌唱することにより得られる歌唱音声データを前記楽曲のリファレンスデータと比較し、前記採点区間毎に採点値を求める採点部を有するカラオケ装置と、サーバとを含むカラオケ採点システムであって、前記サーバは、予め求められた複数の採点値に基づく前記採点区間毎の統計値を算出する統計値算出部を有し、前記カラオケ装置は、算出された前記採点区間毎の統計値を取得する統計値取得部と、表示部に、新たな歌唱により求められた前記採点値と前記統計値とを前記採点区間毎に対比可能に表示させる表示制御部とを有する。
【００２０】
このようなカラオケ採点システムによれば、採点区間毎に、ある利用者の歌唱により求められた採点値を他の利用者の歌唱に基づく統計値と対比可能に表示させることができる。よって、ある利用者は、楽曲全体において上手く唄えている区間及び上手く唄えていない区間を他の利用者との間で相対的に把握できる。
【発明の効果】
【００２１】
本発明によれば、ある利用者が楽曲全体において上手く唄えている区間及び上手く唄えていない区間を、他の利用者との間で相対的に把握可能となる。
【図面の簡単な説明】
【００２２】
【図１】第１実施形態に係るカラオケ採点システムの概略を示す図である。
【図２】第１実施形態に係るサーバのハードウェア構成例を示す図である。
【図３】第１実施形態に係るサーバのソフトウェア構成例を示す図である。
【図４】第１実施形態に係るサーバの記憶部に記憶されるデータの例を示す図である。
【図５】第１実施形態に係るサーバの記憶部に記憶されるデータの例を示す図である。
【図６】第１実施形態に係るカラオケ装置のハードウェア構成例を示す図である。
【図７】第１実施形態に係るカラオケ本体のハードウェア構成例を示す図である。
【図８】第１実施形態に係るカラオケ本体のソフトウェア構成例を示す図である。
【図９Ａ】第１実施形態に係る表示部における表示例を示す図である。
【図９Ｂ】第１実施形態に係る表示部における表示例を示す図である。
【図１０】第２実施形態に係るサーバの記憶部に記憶されるデータの例を示す図である。
【図１１】第３実施形態に係るサーバの記憶部に記憶されるデータの例を示す図である。
【００２３】
＜第１実施形態＞
図１〜図９Ｂを参照して、第１実施形態に係るカラオケ採点システム１について説明する。
【００２４】
＝＝システム＝＝
図１に示すように、本実施形態のカラオケ採点システム１は、サーバ２とカラオケ装置３とを備える。カラオケ装置３は、カラオケ店舗ＫＢの各カラオケルームＲＭに設置される。サーバ２とカラオケ装置３とは通信回線Ｎを介して通信可能に接続される。通信回線Ｎは、たとえば公衆電話回線、携帯電話回線、専用電話回線、無線通信路、イーサネット（登録商標）などにより敷設される回線であり、たとえばインターネット、ＶＡＮ（Value Added Network）などである。サーバ２からカラオケ装置３にカラオケを行うためのデータ（以下、楽曲データという。）が送信され、カラオケ装置３が楽曲を演奏することにより、利用者はカラオケの歌唱が可能となる。
【００２５】
＝＝サーバ＝＝
サーバ２は、利用者やカラオケ店舗ＫＢなどに関する各種情報を蓄積して管理するコンピュータである。図２はサーバ２のハードウェア構成例を示す図である。サーバ２は、制御部２０、通信部２１および記憶部２２を備える。各構成はインターフェース（図示なし）を介してバスＢに接続されている。
【００２６】
制御部２０は、ＣＰＵ２０ａおよびメモリ２０ｂを備える。ＣＰＵ２０ａは、メモリ２０ｂに記憶された動作プログラムを実行することにより各種の制御機能を実現する。メモリ２０ｂは、ＣＰＵ２０ａにより実行されるプログラムを記憶したり、プログラムの実行時に各種情報を一時的に記憶したりする記憶装置である。
【００２７】
通信部２１は、サーバ２を通信回線Ｎに接続するためのインタフェースを提供する。記憶部２２は、各種のデータを記憶する記憶装置であり、たとえばハードディスクドライブなどである。
【００２８】
図３は、サーバ２のソフトウェア構成例を示す図である。サーバ２は、利用者情報記憶部２２１、楽曲データ記憶部２２２、採点区間設定部２０１、歌唱採点データ記憶部２２３、平均値算出部２０２、平均値記憶部２２４、及びデータ送受信部２０３を備える。
【００２９】
採点区間設定部２０１、平均値算出部２０２、及びデータ送受信部２０３は、ＣＰＵ２０ａがメモリ２０ｂに記憶されるプログラムを実行することにより実現される。利用者情報記憶部２２１、楽曲データ記憶部２２２、歌唱採点データ記憶部２２３、及び平均値記憶部２２４は記憶部２２の提供する記憶領域の一部として実現される。
【００３０】
利用者情報記憶部２２１は、カラオケ装置３の利用者に関する情報（以下、利用者情報という。）を記憶する。利用者情報は、たとえば、個々の利用者を特定するための利用者ＩＤ、当該利用者ＩＤに対応付けられた利用者の個人情報（以下、利用者属性情報という。）である。利用者属性情報は、利用者の生年月日、年齢（世代）、性別、血液型、住所、電話番号等である。
【００３１】
楽曲データ記憶部２２２は、カラオケ装置３で演奏される複数の楽曲データを記憶する。複数の楽曲データは、個々の楽曲を特定するための楽曲ＩＤ、当該楽曲ＩＤに対応付けられた伴奏データ、歌詞データおよび映像データ等である。伴奏データは、たとえばＭＩＤＩ（Musical Instrument Digital Interface）のＳＭＦ（Standard MIDI File）のデータとすることができる。楽曲の主旋律等を示すリファレンスデータは、ＭＩＤＩデータの一例である。歌詞データは、たとえば伴奏データの再生位置に対応付けたテキストデータである。映像データは、任意のフォーマットの動画データである。個々の楽曲データは、その楽曲を唄うアーティスト名、楽曲のジャンル等、当該楽曲に関する情報である楽曲属性情報を含む。
【００３２】
採点区間設定部２０１は、複数の楽曲それぞれに対して複数の採点区間を設定する。採点区間の設定方法は様々な手法を用いることができる。たとえば、採点区間設定部２０１は、楽曲毎に「前奏部分」、「通常歌唱部分」、「サビ部分」、「クライマックス部分」、「後奏部分」等に分割することで採点区間を設定する（特開平１０−７８７４９号公報参照）。或いは、採点区間設定部２０１は、カラオケ採点システム１で使用される楽曲全てにおいて、歌唱を行う歌唱区間を特定し、当該歌唱区間を一律の数に均等分割することで複数の採点区間を設定する（特願２０１４−１７４６８９号参照）。設定した採点区間は、たとえば伴奏データに採点区間の区切りを示す情報（マーカ）を設定することにより区別可能となる。
【００３３】
歌唱採点データ記憶部２２３は、カラオケ装置３から送信される歌唱採点データを記憶する。歌唱採点データは、複数の採点区間が設定された楽曲に合わせて利用者が歌唱することにより得られる歌唱音声データを当該楽曲のリファレンスデータと比較し採点区間毎に求めた採点値である。図４は、歌唱採点データ記憶部２２３に記憶される歌唱採点データのテーブルデータの一例である。ここで示すテーブルデータは、楽曲ＩＤ、利用者ＩＤ、及び当該楽曲における当該利用者の採点区間毎の採点値が記録されたデータである（採点値については後述）。図４では、異なる楽曲に対して一律の数の採点区間（６パート、２４採点区間）が設定されている例を示している。なお、利用者ＩＤ登録を行っていない利用者が歌唱を行って得られるテーブルデータの場合、利用者ＩＤ以外の情報が記録されるとしてもよい。
【００３４】
平均値算出部２０２は、予め求められた複数の採点値に基づく採点区間毎の平均値を算出する。本実施形態において、採点区間毎の平均値は、楽曲毎に求められた値である。たとえば、平均値算出部２０２は、任意の楽曲について新たな歌唱採点データが歌唱採点データ記憶部２２３に記憶されると、歌唱採点データ記憶部２２３に記憶された歌唱採点データから所定の楽曲ＩＤを有する複数の歌唱採点データを抽出し、それら歌唱採点データにおける採点区間毎の採点値の平均値を算出する。図５は、平均算出部２０２で算出された平均値を示すテーブルデータの一例である。
【００３５】
平均値は、たとえば、日本全国に存在する複数のカラオケ店舗ＫＢから集められた歌唱採点データに基づく全国平均値である。或いは、カラオケ装置３が海外にもある場合には、平均値算出部２０２は、海外における歌唱採点データを含めて平均値を算出してもよい。
【００３６】
平均値を算出するための採点値の収集には様々な方法が考えられる。たとえば、新しい楽曲の配信から一定期間において、平均値算出部２０２は、当該楽曲の全歌唱採点データに基づく平均値を求める。このような平均値を求めることで、時間経過による母集団の増加が見込めるため、平均値を一般的な利用者の値に収束させることができる。或いは、配信からある程度の期間が経過した楽曲については、平均値算出部２０２は、最新の歌唱採点データから所定数の歌唱採点データのみを用いて平均値を求めることも可能である。配信からある程度の期間が経過した楽曲では歌唱者の習熟度が上がっているため、求められた平均値は歌唱採点データ全体に基づく平均値よりも高い値になると考えられる。このような平均値を用いることにより、利用者は高いレベルで他の利用者との対比が可能となる。なお、これらの採点値の収集方法を適宜組み合わせることも可能である。
【００３７】
平均値記憶部２２４は、平均値算出部２０２で算出された平均値を記憶する。本実施形態のように楽曲毎に平均値を求めた場合、平均値は楽曲ＩＤに対応づけられて記憶される（図５参照）。
【００３８】
データ送受信部２０３は、通信部２１を介してカラオケ装置３との各種データの送受信を行う。たとえば、データ送受信部２０３は、楽曲データ記憶部２２２に記憶された楽曲データをカラオケ装置３に送信する。なお、本実施形態において送信される楽曲データは、採点区間設定部２０１により採点区間が設定されたデータである。また、データ送受信部２０３は、平均値記憶部２２４に記憶された平均値のデータをカラオケ装置３に送信する。データ送受信部２０３は、たとえば、カラオケ装置３から歌唱採点データを受信する。
【００３９】
＝＝カラオケ装置３＝＝
カラオケ装置３は、カラオケ演奏及び利用者が歌唱を行うための装置である。図６は、カラオケ装置３のハードウェア構成例を示す図である。カラオケ装置３は、カラオケ本体３１、スピーカ３２、表示部３３、マイク３４、及びリモコン装置３５を備える。
【００４０】
スピーカ３２はカラオケ本体３１からの放音信号に基づいて放音するための構成である。表示部３３はカラオケ本体３１からの映像信号に基づいて映像を画面に表示するための構成である。マイク３４は利用者の音声をアナログの音声信号に変換してカラオケ本体３１に入力するための構成である。
【００４１】
リモコン装置３５は、カラオケ本体３１に対する各種操作をおこなうための装置である。利用者はリモコン装置３５を用いてカラオケ装置３の起動、楽曲の予約等を行うことができる。なお、カラオケ装置３に対する操作は、カラオケ本体３１の操作部３１ｆ（後述）を直接操作して行うようにしてもよい。
【００４２】
本実施形態において、リモコン装置３５は利用者情報を取得する。リモコン装置３５は、たとえばインタフェースを介して利用者から利用者情報の入力を受け付ける。また、利用者が提示するＩＣカードや磁気カードなどの会員証に利用者情報（利用者ＩＤ）を記録しておき、リモコン装置３５がこれを読み出すようにしてもよい。入力された利用者情報（利用者ＩＤ）は、サーバ２に転送される。サーバ２は、利用者ＩＤに紐づけられている利用者属性情報をカラオケ本体３１及びリモコン装置３５に送信する。
【００４３】
カラオケ本体３１は、選択されたカラオケ楽曲の演奏制御、歌詞および背景映像の表示制御、マイク３４を通じて入力された音声信号の処理といった、カラオケ歌唱に関する各種の制御を行う。図７はカラオケ本体３１のハードウェア構成例を示す図である。カラオケ本体３１は、制御部３１ａ、通信部３１ｂ、記憶部３１ｃ、音響処理部３１ｄ、表示処理部３１ｅおよび操作部３１ｆを備える。各構成はインターフェース（図示なし）を介してバスＢに接続されている。
【００４４】
制御部３１ａは、ＣＰＵ３１１ａおよびメモリ３１２ａを備える。ＣＰＵ３１１ａは、メモリ３１２ａに記憶された動作プログラムを実行することにより各種の制御機能を実現する。メモリ３１２ａは、ＣＰＵ３１１ａに実行されるプログラムを記憶したり、プログラムの実行時に各種情報を一時的に記憶したりする記憶装置である。
【００４５】
通信部３１ｂは、カラオケ本体３１を通信回線Ｎに接続するためのインタフェースを提供する。記憶部３１ｃは、各種のデータを記憶する大容量の記憶装置であり、たとえばハードディスクドライブなどである。
【００４６】
音響処理部３１ｄは、制御部３１ａの制御に基づき、カラオケ楽曲に対する演奏の制御およびマイク３４を通じて入力された音声信号の処理を行う。音響処理部３１ｄは、たとえばＭＩＤＩ音源、ミキサ、アンプ（いずれも図示なし）を含む。音響処理部３１ｄは、楽曲データに含まれる伴奏データに基づいて楽音信号を生成する。ＭＩＤＩ音源は、当該音楽信号およびマイク３４から出力される音声信号を適当な比率でミキシングしてアンプに出力する。アンプは、ミキサからのミキシング信号を増幅し、放音信号としてスピーカ３２へ出力する。これにより、スピーカ３２からは放音信号に基づくカラオケ演奏音およびマイク３４からの歌唱音声が放音される。
【００４７】
表示処理部３１ｅは、制御部３１ａの制御に基づき、表示部３３における各種表示に関する処理を行う。たとえば、表示処理部３１ｅは、カラオケ演奏時における背景映像の表示等の制御を行う。表示処理部３１ｅは、カラオケ演奏時に演奏される楽曲に対応する映像データを記憶部３１ｃから取得し、この映像データのデコードが行われる。表示処理部３１ｅは、デコードで生成された背景映像の映像信号に対して、歌詞データに基づき歌詞テロップを合成し、合成後の映像信号を表示部３３に出力する。表示部３３には、背景映像に歌詞テロップが重ねられた映像が表示される。また、本実施形態に係る表示処理部３１ｅは、採点結果と平均値とを対比可能に表示させる（詳細は後述）。本実施形態において、制御部３１ａ及び表示処理部３１ｅが「表示制御部」の一例である。
【００４８】
操作部３１ｆは、パネルスイッチおよびリモコン受信回路などからなり、利用者によるカラオケ装置３のパネルスイッチあるいはリモコン装置３５の操作に応じて予約信号、中止信号などの操作信号を制御部３１ａに対して出力する。制御部３１ａは、操作部３１ｆからの操作信号を検出し、対応する処理を実行する。
【００４９】
図８はカラオケ本体３１のソフトウェア構成例を示す図である。カラオケ本体３１は、データ送受信部３１１、演奏処理部３１２、採点部３１３、及び楽曲データ記憶部３２１を備える。
【００５０】
なお、データ送受信部３１１、演奏処理部３１２及び採点部３１３は、制御部３１ａのＣＰＵ３１１ａがメモリ３１２ａに記憶されている動作プログラムを実行することにより実現される。楽曲データ記憶部３２１は、記憶部３１ｃが提供する記憶領域の一部として実現される。
【００５１】
データ送受信部３１１は、通信部３１ｂを介してサーバ２との各種データの送受信を行う。たとえば、データ送受信部３１１は、サーバ２（データ送受信部２０３）から送信される楽曲データを受信する。受信した楽曲データは、楽曲データ記憶部３２１に記憶される。なお、ここで記憶される楽曲データには、複数の採点区間が設定されている。或いは、データ送受信部３１１は、サーバ２（データ送受信部２０３）から送信されるある楽曲の採点区間毎の平均値を受信する。本実施形態におけるデータ送受信部３１１は「統計値取得部」の一例である。
【００５２】
演奏処理部３１２は、楽曲を演奏するために必要な各種の制御処理を行う。たとえば、リモコン装置３５により、ある楽曲の楽曲ＩＤが入力された場合、演奏処理部３１２は、当該楽曲ＩＤに対応する楽曲データを楽曲データ記憶部３２１から読み出す。演奏処理部３１２は、たとえば、音響処理部３１ｄを制御して、楽曲データに含まれる伴奏データに基づいてカラオケ演奏音及びマイク３４からの歌唱音声をスピーカ３２から放音させる。また、演奏処理部３１２は、表示処理部３１ｅを制御して、楽曲データに含まれる映像データに基づく背景映像と歌詞データに基づく歌詞テロップとを合成した映像を表示部３３に表示させる。なお、演奏処理部３１２は、サーバ２から直接、楽曲データを読み出してもよい。
【００５３】
採点部３１３は、複数の採点区間が設定された楽曲に合わせて利用者が歌唱することにより得られる歌唱音声データを当該楽曲のリファレンスデータと比較し、採点区間毎に採点値を求める。
【００５４】
採点値を求める処理は公知の手法を用いることができる。たとえば、採点部３１３は、マイク３４から入力された歌唱音声信号から、音高データ、音量データ、リズムデータ等の歌唱音声データを抽出し、現在演奏している楽曲のリファレンスデータと抽出した歌唱音声データとを採点区間毎に比較することにより、採点値を算出する。採点部３１３は、算出された採点値を利用者ＩＤおよび楽曲ＩＤと対応付けた採点データ（歌唱採点データ）を作成する。データ送受信部３１１は、当該採点データをサーバ２に送信する。
【００５５】
＝＝平均値との比較＝＝
ここで、利用者が楽曲Ｘについて新たな歌唱を行った場合について述べる。この例において、楽曲Ｘは既に複数の利用者による歌唱が行われ、その採点値（歌唱採点データ）がサーバ２に送られ、楽曲Ｘの採点区間毎の平均値が求められている（サーバ２は、楽曲Ｘの採点区間毎の平均値を記憶している）とする。
【００５６】
リモコン装置３５により、楽曲Ｘの楽曲ＩＤが入力された場合、演奏処理部３１２は、当該楽曲ＩＤに対応する楽曲データを楽曲データ記憶部３２１から読み出す。演奏処理部３１２は、音響処理部３１ｄを制御して、楽曲データに含まれる伴奏データに基づいてカラオケ演奏音及びマイク３４からの歌唱音声をスピーカ３２から放音させる。
【００５７】
採点部３１３は、楽曲Ｘに合わせて利用者が新たな歌唱を行うことにより得られる歌唱音声データを楽曲Ｘのリファレンスデータと比較し、採点区間毎に採点値を求める。
【００５８】
一方、データ送受信部３１１は、サーバ２から楽曲Ｘの採点区間毎の平均値を取得する。データ送受信部３１１は、楽曲Ｘの楽曲ＩＤが入力された時、すなわち楽曲Ｘが予約登録された時や、楽曲Ｘよりも前に予約された楽曲が演奏されている時等のタイミングで平均値を取得する。
【００５９】
表示処理部３１ｅは、制御部３１ａの制御に基づき、新たな歌唱により求められた採点値とサーバ２から取得した楽曲Ｘの平均値とを採点区間毎に対比可能に表示部３３に表示させる。
【００６０】
対比結果は様々な表示形式が可能である。図９Ａ及び図９Ｂは、対比結果の表示形式の一例である。
【００６１】
図９Ａは、横軸を採点区間、縦軸を得点とし、平均値および採点値を折れ線グラフで表示する例である。図９Ａでは、各採点区間において、平均値を「☆」で示し、新たな歌唱を行った利用者の採点値を「●」で示している。
【００６２】
図９Ｂは、横軸を採点区間、縦軸を平均値と採点値との差分とし、新たな歌唱における採点区間毎の採点値を折れ線グラフで表示する例である。図９Ｂでは、各採点区間において、新たな歌唱を行った利用者の平均値と採点値との差分を「●」で示し、平均値ＭをラインＬで示している。
【００６３】
これらの表示形式のテンプレートは予め記憶部３１ｃに記憶されている。表示処理部３１ｅは、当該テンプレートを読み出し、得られた採点値（或いは平均値と採点値との差分）と平均値とをテンプレートにプロットした表示データを形成し、表示部３３に表示させる。
【００６４】
なお、表示部３３の表示画面には対比結果以外にも各種の情報（楽曲情報や総合得点、歌唱の安定性や表現力等を示すパラメータ等）が表示されてもよい。
【００６５】
また、図９Ａ及び図９Ｂでは、設定された採点区間全体を一画面に表示する例を示したが、表示例はこれに限られない。たとえば、表示部３３に採点区間の一部のみを表示させ、リモコン装置３５等の入力に基づいて、他の採点区間に切り替えが出来るようにしてもよい。
【００６６】
このように、対比結果をグラフ化して表示させることにより、利用者は自分が上手く唄えている区間とそうでない区間とを視覚的に把握できる。但し、本実施形態に係るカラオケ採点システム１は、新たな歌唱により求められた採点値と予め求められた複数の採点値に基づく平均値とを採点区間毎に対比可能に表示できればよいため、採点値や平均値をそのまま数値として表示させてもよい。
【００６７】
＜第２実施形態＞
次に図１０を参照して、第２実施形態に係るカラオケ採点システム１について説明する。本実施形態では、利用者属性情報を加味した採点区間の平均値を利用する例について述べる。第１実施形態と同様の構成については詳細な説明を省略する。
【００６８】
本実施形態において、平均値算出部２０２が算出する採点区間毎の平均値は、楽曲毎に求められた値であって、且つ同じ利用者属性情報を有する利用者が歌唱して得られた採点値に基づく値である。
【００６９】
たとえば、平均値算出部２０２は、歌唱採点データ記憶部２２３に記憶された歌唱採点データから所定の楽曲ＩＤを有するデータを抽出する。そして、平均値算出部２０２は、抽出したデータに対応付けられた利用者ＩＤに応じて、利用者情報記憶部２２１から所定の利用者属性情報を読み出し、読み出した情報毎に採点区間毎の採点値の平均値を算出する。
【００７０】
図１０は、本実施形態に係る平均値算出部２０２により算出されたテーブルデータの一例を示す。図１０に示すように、平均値算出部２０２は、楽曲Ｘについて、世代、性別、居住地域毎に分け、それらに含まれる利用者の採点値を採点区間毎に平均した値を算出する。なお、利用者属性情報は少なくとも一つあればよい。或いは、平均値算出部２０２は、複数の利用者属性情報を組み合わせた結果（２０代且つ男性且つ関東地方在住）に対応するデータのみに基づいて平均値を求めてもよい。
【００７１】
＝＝平均値との比較＝＝
ここで、利用者が楽曲Ｘについて新たな歌唱を行った場合について述べる。この例において、楽曲Ｘは既に複数の利用者による歌唱が行われ、その採点値（歌唱採点データ）がサーバ２に送られ、楽曲Ｘについて、世代、性別、居住地域毎に分けた採点区間毎の平均値が求められているとする。
【００７２】
リモコン装置３５により、利用者の利用者属性情報が取得され、利用者により利用者属性情報（たとえば、２０代）に基づく採点方法が入力された場合、楽曲Ｘの楽曲ＩＤ及び取得された利用者属性情報に紐づく利用者ＩＤが予約登録され、演奏処理部３１２は、当該楽曲ＩＤに対応する楽曲データを楽曲データ記憶部３２１から読み出す。演奏処理部３１２は、音響処理部３１ｄを制御して、楽曲データに含まれる伴奏データに基づいてカラオケ演奏音及びマイク３４からの歌唱音声をスピーカ３２から放音させる。
【００７３】
採点部３１３は、楽曲Ｘに合わせて利用者が新たな歌唱を行うことにより得られる歌唱音声データを楽曲Ｘのリファレンスデータと比較し、採点区間毎に採点値を求める。
【００７４】
一方、データ送受信部３１１は、サーバ２から、楽曲Ｘの平均値のうち歌唱者の利用者属性情報に対応する平均値（たとえば、楽曲Ｘの２０代の平均値）を取得する。
【００７５】
表示処理部３１ｅは、制御部３１ａの制御に基づき、新たな歌唱により求められた採点値とサーバ２から取得した当該平均値とを採点区間毎に対比可能に表示部３３に表示させる。
【００７６】
対比結果は、第１実施形態と同様の表示が可能である。このように、ある楽曲に対して更に限定した平均値と新たな採点値とを用いることで、利用者は、自己の歌唱についてより詳細な対比を行うことが可能となる。なお、たとえば所定の利用者属性情報として「世代」を指定した場合に、自分の世代（たとえば２０代）の平均値と併せて他の世代の平均値を表示させることも可能である。このような表示を行うことにより、カラオケ歌唱の趣向性を高めることができる。
【００７７】
＜第３実施形態＞
次に、図１１を参照して、第３実施形態に係るカラオケ採点システム１について説明する。本実施形態では、楽曲属性情報を加味した採点区間の平均値を利用する例について述べる。第１実施形態と同様の構成については詳細な説明を省略する。
【００７８】
本実施形態において、平均値算出部２０２が算出する採点区間毎の平均値は、複数の楽曲のうち、各楽曲に関する情報である楽曲属性情報が同じ楽曲における採点値に基づく値である。
【００７９】
たとえば、平均値算出部２０２は、歌唱採点データ記憶部２２３に記憶された歌唱採点データから所定の楽曲属性情報を有するデータを抽出する。そして、平均値算出部２０２は、抽出したデータ毎に採点区間毎の採点値の平均値を算出する。
【００８０】
図１１は、本実施形態に係る平均値算出部２０２により算出されたテーブルデータの一例を示す。図１１に示すように、平均値算出部２０２は、楽曲属性情報に基づいて楽曲をアーティスト名、ジャンル等に分け、それぞれに含まれる楽曲における利用者の採点値に基づいて採点区間毎の平均値を算出する。楽曲属性情報は少なくとも一つあればよい。或いは、複数の楽曲属性情報を組み合わせた結果に対応するデータのみに基づいて平均値を求めてもよい。
【００８１】
なお、本実施形態では複数の異なる楽曲についての平均値を算出することになるため、複数の楽曲における採点区間は一律の数に設定されている必要がある。
【００８２】
＝＝平均値との比較＝＝
ここで、利用者が楽曲Ｘについて新たな歌唱を行った場合について述べる。この例において、楽曲Ｘ及び楽曲Ｘと同じ楽曲属性情報を持つ楽曲は既に複数の利用者による歌唱が行われ、その採点値（歌唱採点データ）がサーバ２に送られ、楽曲Ｘの楽曲属性情報毎に採点区間毎の平均値が求められているとする。
【００８３】
リモコン装置３５により、楽曲Ｘの楽曲ＩＤ及び所定の楽曲属性情報（たとえば、アーティスト名）に基づく採点方法が入力された場合、演奏処理部３１２は、当該楽曲ＩＤに対応する楽曲データを楽曲データ記憶部３２１から読み出す。演奏処理部３１２は、音響処理部３１ｄを制御して、楽曲データに含まれる伴奏データに基づいてカラオケ演奏音及びマイク３４からの歌唱音声をスピーカ３２から放音させる。
【００８４】
採点部３１３は、楽曲Ｘに合わせて利用者が新たな歌唱を行うことにより得られる歌唱音声データを楽曲Ｘのリファレンスデータと比較し、採点区間毎に採点値を求める。
【００８５】
一方、データ送受信部３１１は、サーバ２から、入力された楽曲属性情報に対応する平均値（たとえば、楽曲Ｘを歌唱しているアーティストの他の楽曲を含めたアーティスト別の平均値）を取得する。
【００８６】
表示処理部３１ｅは、制御部３１ａの制御に基づき、新たな歌唱により求められた採点値とサーバ２から取得した当該平均値とを採点区間毎に対比可能に表示部３３に表示させる。
【００８７】
対比結果は、第１実施形態と同様の表示が可能である。このように、歌唱する楽曲の楽曲属性情報に基づいて求めた平均値を利用することにより、たとえば、あるアーティストの楽曲を全般に上手くなりたい場合等に有効である。また、アーティスト名で限定した採点値に基づく平均値を表示させることで、そのアーティストの曲が全般的に難しい等の難易度を把握することも可能である。
【００８８】
＜その他＞
カラオケ採点システム１で使用される楽曲全てにおいて、歌唱を行う歌唱区間を特定し、当該歌唱区間を一律の数に均等分割することで複数の採点区間を設定する方法（特願２０１４−１７４６８９号公報参照）について詳しく述べると以下の通りである。
【００８９】
すなわち、カラオケ採点システム１は、楽曲の採点区間を抽出するとともに当該採点区間を均等に分割する。カラオケ採点システム１は、歌唱開始ポイント検出手段と、歌唱終了ポイント検出手段と、楽曲歌唱時間算出手段と、均等分割手段とを含む。歌唱開始ポイント検出手段は、採点を行う楽曲のリファレンスデータにおける最初の歌唱採点タイミングを歌唱開始ポイントとして検出する。歌唱終了ポイント検出手段は、リファレンスデータにおける最後の歌唱採点タイミングを歌唱終了ポイントとして検出する。楽曲歌唱時間算出手段は、検出した歌唱開始ポイント及び歌唱終了ポイントに基づき、当該カラオケ楽曲の歌唱時間を算出する。均等分割手段は、算出された歌唱時間を均等に分割して、所定数の歌唱区間（採点区間）を生成する。
【００９０】
また、上記実施形態では、サーバ２において採点区間を設定する例について述べたがこれに限られない。すなわち、カラオケ装置３において採点区間を設定することも可能である。この場合、楽曲データ送信部２０２は、通信部２１を介し採点区間が設定されていない楽曲データをカラオケ装置３に送信する。そして、カラオケ装置３側に設けられた採点区間設定部２０１に対応する構成により、各楽曲に対して採点区間を設定する。
【００９１】
なお、ある利用者の採点値と比較する値は、平均値に限らず他の利用者の採点値に基づく統計値であればよい。統計値は、たとえば最頻値、中央値である。すなわち、平均値算出部２０２は、「統計値算出部」の一例である。また、カラオケ装置３におけるデータ送受信部３１１は、「統計値取得部」の一例である。
【００９２】
また、カラオケ装置３（表示処理部３１ｅ）による対比結果の表示は、新たな歌唱が終了した後に全採点区間に対して行ってもよいし、ある採点区間の新たな歌唱が終わる毎に順次行うことでもよい。
【００９３】
上記実施形態は、例として提示したものであり、発明の範囲を限定するものではない。また、上記の構成は、適宜組み合わせて実施することが可能であり、発明の要旨を逸脱しない範囲で、種々の省略、置き換え、変更を行うことができる。それらの実施形態やその変形は、発明の範囲や要旨に含まれると同様に、特許請求の範囲に記載された発明とその均等の範囲に含まれる。
【符号の説明】
【００９４】
１  カラオケ採点システム
２  サーバ
３  カラオケ装置
２０、３１ａ  制御部
２１、３１ｂ  通信部
２２、３１ｃ  記憶部
３１  カラオケ本体
３１ｅ  表示処理部
３３  表示部
２０１  採点区間設定部
２０２  平均値算出部
２０３、３１１  データ送受信部
２２１  利用者情報記憶部
２２２、３２１  楽曲データ記憶部
２２３  歌唱採点データ記憶部
２２４  平均値記憶部
３１２  演奏処理部
３１３  採点部
【図１】
0006514868.tif 000002
【図２】
0006514868.tif 000003
【図３】
0006514868.tif 000004
【図４】
0006514868.tif 000005
【図５】
0006514868.tif 000006
【図６】
0006514868.tif 000007
【図７】
0006514868.tif 000008
【図８】
0006514868.tif 000009
【図９Ａ】
0006514868.tif 000010
【図９Ｂ】
0006514868.tif 000011
【図１０】
0006514868.tif 000012
【図１１】
0006514868.tif 000013